(57)【特許請求の範囲】
【請求項１】
消火剤貯蔵タンクとこの消火剤貯蔵タンクに貯蔵されている消火剤を放出させるための付帯要素とを有し、その付帯要素が引廻し用のホースを含んでいる消火装置が格納箱に格納されてなる消火設備において、
上記格納箱の外壁に、その格納箱の外側に配備される可搬式消火器を着脱自在な保持具が設けられ、この保持具に装着された上記可搬式消火器を覆う位置に配備可能な消火器カバーに、上記保持具に装着された上記可搬式消火器に対して着脱可能な着脱具が備わっていることを特徴とする消火設備。
【請求項２】
上記着脱具が、上記可搬式消火器の胴体部に嵌脱可能でかつ嵌合時にその胴体部を弾圧挟持する一対の挟持片を備えたばね体でなる請求項１に記載した消火設備。
【請求項３】
上記消火器カバーは、上記格納箱の外壁との対抗面が開放されていると共に、上記ばね体がこの消火器カバーの内部でこの消火器カバーの前板部に固着されている請求項２に記載した消火設備。
【発明の詳細な説明】
【０００１】
【発明の属する技術分野】
本発明は、消火設備、特に大きさが異なっている消火装置及び可搬式消火器を備えた消火設備に関する。
【０００２】
【従来の技術】
この種の従来の消火設備を図９及び図１０を参照して説明する。この消火設備は、移動式消火装置Ａと可搬式消火器Ｂとを備えていて、これらの各消火器Ａ，Ｂが、箱形に形成された１つの格納箱Ｃの内部に仕切り板Ｄによって区画された２つの格納室Ｒ１，Ｒ２に各別に格納されていて、それらの格納室Ｒ１，Ｒ２が、格納箱ＣにヒンジＨを介して取り付けられた１つの開閉扉Ｆによって開閉されるようになっている。移動式消火装置Ａは、消火剤貯蔵タンク１とその消火剤貯蔵タンク１に貯蔵されている粉末消火剤を放出させるための付帯要素とを有している。付帯要素には、消火作業に際して消火剤放出場所まで引き出される引廻し用のホース２が含まれている。Ｇは圧縮ガス容器であり、この圧縮ガス容器Ｇも上記付帯要素の１つである。これに対し、可搬式消火器Ｂは、消火作業に際して消火剤放出場所までその消火器Ｂ自体が持ち運ばれる。なお、図９において、開閉扉Ｆの表面の領域ａにはたとえば「移動式粉末消火設備」の表示が施され、領域ｂにはたとえば「消火器」の表示が施され、領域ｃにはたとえば操作説明板が取り付けられる。
【０００３】
この消火設備において、移動式消火装置Ａは可搬式消火器Ｂよりも大形である。そのため、格納箱Ｃの縦寸法、横寸法、奥行寸法などが移動式消火装置Ａに合わせて可及的コンパクトに定められている。そのため、可搬式消火器Ｂが格納されている格納室Ｒ２には広い空きスペースＳが存在している。
【０００４】
【発明が解決しようとする課題】
図９及び図１０で説明した従来の消火設備の設置場所としては駐車場や危険物貯蔵所が掲げられ、これらの設置場所では、消火設備の設置スペースをできるだけ狭くすることが要求されている。
【０００５】
しかしながら、従来の消火設備では、１つの格納箱Ｃに移動式消火装置Ａと可搬式消火器Ｂとの両方を横に並べて格納することのできる構造を採用していることから、格納箱Ｃの横寸法を移動式消火装置Ａの横幅に見合う寸法程度にまで短くしてそのコンパクト化を図ることが困難であり、そのために、消火設備の設置スペースをできるだけ狭くするという要求に十分に応え得るものではないという問題があった。
【０００６】
また、格納箱Ｃの内部の格納室Ｒ２の高さが可搬式消火器Ｂの高さに見合う低いものであればよいにもかかわらず、その格納室Ｒ２を格納箱Ｃの内部を仕切り板Ｄで仕切って形成するという構造を採用しているために、格納室Ｒ２の高さが移動式消火装置Ａの格納室Ｒ１と同じ高さになっていて、その結果、格納室Ｒ２には広い空きスペースが無駄に存在することとなり、その空きスペースが消火設備の設置スペースを狭めることの制約になっているだけでなく、格納箱が大形化してコスト高になっているという問題があった。
【０００７】
本発明は以上の問題に鑑みてなされたものであり、可搬式消火器を、上記した移動式消火装置などの消火装置を格納している格納箱から取り出してその格納箱の外側に取り付けることによって、格納箱の内部に空きスペースが生じないようにするという考えの下でなされたものであり、その上で、可搬式消火器が風雨に直接さらされるという事態を防止することのできる消火設備を提供することを目的とする。
【０００８】
また、本発明は、従来の消火設備に比べてコンパクトに形成することが可能であり、しかも、設置スペースも従来の消火設備に比べて狭くて済む安価な消火設備を提供することを目的とする。
さらに、本発明は、可搬式消火器の取扱性、たとえば火災発生時の消火器の可搬式消火器の取扱性を、従来の消火設備に比べて改善することのできる消火設備を提供することを目的とする。
【０００９】
【課題を解決するための手段】
本発明に係る消火設備は、消火剤貯蔵タンクとこの消火剤貯蔵タンクに貯蔵されている消火剤を放出させるための付帯要素とを有し、その付帯要素が引廻し用のホースを含んでいる消火装置が格納箱に格納されてなる。このような消火装置の一例として、冒頭で説明した粉末消火剤を用いる移動式消火装置がある。
【００１０】
本発明では、上記格納箱の外壁に、その格納箱の外側に配備される可搬式消火器を着脱自在な保持具が設けられ、この保持具に装着された上記可搬式消火器を覆う位置に配備可能な消火器カバーに、上記保持具に装着された上記可搬式消火器に対して着脱可能な着脱具が備わっている。
【００１１】
この構成によれば、格納箱の縦寸法、横寸法及び奥行寸法を消火装置の大きさに見合う長さに定めることができる。また、消火器カバーの大きさを、消火装置の大きさとは無関係に、可搬式消火器の大きさに見合う大きさに定めればよいので、消火器カバーが小さくて済む。その結果、消火設備の全体の大きさが従来のそれよりも小さくてコンパクトになり、それだけ設置スペースが狭くて済むだけでなく、格納箱や消火器カバーの材料費が安くなるので、それだけ消火設備のコストダウンを図りやすくなる。さらに、可搬式消火器を消火器カバーで覆うことができるので、可搬式消火器が格納箱の外側に配備されているにもかかわらず、その可搬式消火器が風雨に直接さらされることを防ぐことができる。
【００１２】
本発明では、上記着脱具が、上記可搬式消火器の胴体部に嵌脱可能でかつ嵌合時にその胴体部を弾圧挟持する一対の挟持片を備えたばね体でなるという構成を採用することが望ましい。これによれば、着脱具をばね体によって安価に形成することが可能である。
【００１３】
本発明において、上記消火器カバーは、上記格納箱の外壁との対抗面が開放されていると共に、上記ばね体がこの消火器カバーの内部でこの消火器カバーの前板部に固着されていることが望ましい。これによれば、保持具に装着された可搬式消火器を覆う位置に消火器カバーを配備する操作を行うことによって、ばね体でその可搬式消火器の胴体部を嵌合状に弾圧挟持させることができるので、消火器カバーを装着する操作が容易である。また、装着した消火器カバーを引張ることによって上記ばね体が消火器の胴体部から離脱するので、消火作業に際して消火器カバーを容易かつ迅速に取り外して可搬式消火器を消火場所まで持ち運ぶことが可能になる。したがって、可搬式消火器の取扱性に優れる。
【００１４】
【発明の実施の形態】
図１は本発明の実施形態による消火設備の外観図、図２は同消火設備の消火器カバー４０を取り外した状態での外観図、図３は消火器カバー４０の正面図、図４は図３のＩＶ−ＩＶ線に沿う断面図、図５は図３のＶ−Ｖ線に沿う断面図、図６は着脱具５０の作用を説明するための説明図である。
【００１５】
図１及び図２において、格納箱１０はその縦寸法、横寸法及び奥行寸法が、図１０で説明した格納室Ｒ１の縦寸法、横寸法及び奥行寸法に見合う長さに定められていていて、その内部の格納室に、図１０で説明した移動式消火装置Ａと同じ消火装置が格納されている。そのため、格納箱１０は、図１０で説明した格納箱Ｃに比べて幅狭であり、そのコンパクト化が達成されている。
【００１６】
格納箱１０は、底板部、天板部、左右の側板部及び背板部とによって前面が開放した縦長箱形に形成されており、前面の開放口には開閉扉１２が図示していないヒンジを介して開閉可能に取り付けられている。また、開閉扉１２には表示灯１３が装備されていると共に、その表面の領域ｄに「たとえば移動式粉末消火設備」の表示が施される。
【００１７】
図２のように、格納箱１０の外壁、具体的には片側の側板部１１に保持具２０が固着されている。図例の保持具２０は、下端に外向きに折り曲げられた受片２１を有していると共に、可搬式消火器Ｂの円筒状の胴体部Ｂ１を取り巻いて保持するためのクランプベルト２２を有していて、クランプベルト２２にはワンタッチでの着脱操作が可能なクリップ２３が備わっている。可搬式消火器Ｂは、その下端を上記保持具２０の受片２１の上に載架し、クランプベルト２２でその胴体部Ｂ１を取り巻いて保持させることにより保持具２０に離脱可能に保持される。図示で判るように、この可搬式消火器Ｂは、上記した胴体部Ｂ１の上部に操作レバー３１を備えていて、この操作レバー３１を操作することによって、ホース３２の先端のノズル（不図示）から消火剤が放出することができるようになっている。また、可搬式消火器Ｂは、クリップ２３を外してクランプベルト２２による保持状態を解除することにより保持具２０から離脱され、手で持ち運んで消火に供することが可能である。
【００１８】
図３〜図５に示したように、消火器カバー４０は、下板部４１、前下りに傾斜した天板部４２、前板部４３、左右の側板部４４，４４、縁板部４５、縁板部４５によって取り囲まれた開口４６を有していて、その内部に着脱具５０が配備されている。この消火器カバー４０は、上記した可搬式消火器Ｂの大きさに見合う大きさになっていて、開口４６を通して、図２のように保持具２０に保持されている可搬式消火器Ｂに被せてその可搬式消火器Ｂを覆うことができる。また、そのようにして可搬式消火器Ｂを覆わせたときには、縁板部４５が格納箱１０の側板部１１に重なり合うようになっている。図６に拡大して示したように、上記着脱具５０は、板ばねを折り曲げることによって形成されたばね体でなり、このばね体には、消火器カバー４０の前板部４３に固着された取付部５１と、この取付部５１から延び出た一対の挟持片５２，５２とが一体に備わっている。そして、一対の挟持片５２，５２の先端を可搬式消火器Ｂの胴体部Ｂ１に当て付けた後、その挟持片５２，５２を拡開させながら胴体部Ｂ１に押し込んでいくと、挟持片５２，５２が同図に仮想線で示したように胴体部Ｂ１に嵌合してその胴体部Ｂ１を弾圧挟持するようになっている。
【００１９】
この消火器カバー４０の内部空間は、可搬式消火器Ｂの大きさに見合う大きさになっている。そのため、消火器カバー４０の内部空間は図１０で説明した格納室Ｒ２よりも小さい。そのため、消火器カバー４０は図１０で説明した格納室Ｒ２を形作っている部分の大きさよりも小さい。
【００２０】
以上説明した構成の消火設備によると、図１のように消火器カバー４０を、保持具２０に保持されている可搬式消火器Ｂに装着されている状態から格納箱１０の側方へ引張ることにより、可搬式消火器Ｂの胴体部Ｂ１を弾圧挟持している一対の挟持片５２，５２がその胴体部Ｂ１から離脱し、それによって消火器カバー４０が取り外される。したがって、その後、クランプベルト２２（図２参照）のクリップ２３を外すと、可搬式消火器Ｂを手で持ち運んで消火作業を行うことができるようになる。また、保持具２０に装着されている可搬式消火器Ｂを覆う位置に消火器カバー４０を配備する押込み操作を行うと、着脱具５０の一対の挟持片５２，５２が図６の仮想線のように可搬式消火器Ｂの胴体部Ｂ１を挾圧保持して消火器カバー４０がその位置に装着されるので、消火器カバー４０を装着する操作も容易である。
【００２１】
図７は変形例による保持具２０を採用した他の実施形態による消火設備の要部を概略で示してある。この実施形態に採用されている保持具２０は、格納箱１０の側板部１１に取り付けられたフックでなる。そして、図８に示した可搬式消火器Ｂの胴体部Ｂ１に固着されている引掛け部３５を、上記保持具２０に引っ掛けることによって格納箱１０に装着してある。この実施形態でも消火器カバーには図３〜図５で説明したものと同じものを用いることが可能である。
【００２２】
以上の説明では、保持具２０を格納箱１０の側板部１１に設けた事例を説明したけれども、保持具２０を設ける箇所は、格納箱１０の他の部分、たとえば、背板部であってもよい。また、消火器カバー４０は板金製であっても合成樹脂成形品であってもよい。
【００２３】
【発明の効果】
以上のように、本発明の消火設備は、可搬式消火器を、移動式消火装置などの消火装置を格納している格納箱から取り出してその格納箱の外側に配備したので、格納箱の大きさを上記消火装置の大きさに見合うコンパクトな大きさにすることが可能であるだけでなく、可搬式消火器を覆う消火器カバーを、その可搬式消火器の大きさに見合う大きさにすることにより無駄な空きスペースを無くしてそのコンパクト化を図ることができる。そのため、格納箱と消火器カバーを合わせた製作コストが従来の格納箱のそれに比べて安価になり、消火設備をコストダウンを図ることが容易である。また、全体の大きさも従来のそれに比べてコンパクトになるので、駐車場や危険物貯蔵所などでの設置スペースが狭くて済むようになる。さらに、屋外に設置した場合でも、可搬式消火器が消火器カバーにより覆われて風雨に直接さらされるという事態を防止することができる。そのほか、可搬式消火器の取扱性を従来の消火設備に比べて改善することができるという利点もある。
【図面の簡単な説明】
【図１】本発明の実施形態による消火設備の外観図である。
【図２】同消火設備の消火器カバーを取り外した状態での外観図である。
【図３】消火器カバーの正面図である。
【図４】図３のＩＶ−ＩＶ線に沿う断面図である。
【図５】図３のＶ−Ｖ線に沿う断面図である。
【図６】着脱具の作用を説明するための説明図である。
【図７】変形例による保持具を採用した他の実施形態による消火設備の要部を概略で示した説明図である。
【図８】可搬式消火器の概略平面図である。
【図９】従来の消火設備の内部を示した正面図である。
【図１０】従来の消火設備の外観を示した正面図である。
【符号の説明】
Ａ  消火装置（移動式消火装置）
Ｂ  可搬式消火器
Ｂ１  可搬式消火器の胴体部
１  消火剤貯蔵タンク
２  ホース
１０  格納箱
２０  保持具
４０  消火器カバー
４３  消火器カバーの前板部
５０  着脱具
５２  挟持片
【図１】
0004636750.tif 000002
【図２】
0004636750.tif 000003
【図３】
0004636750.tif 000004
【図４】
0004636750.tif 000005
【図５】
0004636750.tif 000006
【図６】
0004636750.tif 000007
【図７】
0004636750.tif 000008
【図８】
0004636750.tif 000009
【図９】
0004636750.tif 000010
【図１０】
0004636750.tif 000011